(57)【要約】【課題】携帯用スチルおよびまたはビデオ・デジタル・カメラのユーザが、遠隔ネットワーク位置または遠隔コンピュータへ伝送およびダウンロードするために、画像データをカメラから通信ネットワークに直接送信できるようにするためのインターフェースとして働く装置を提供する。【解決手段】データを遠隔コンピュータにダウンロードするために、デジタル・カメラ１２と通信ネットワーク１６とを相互接続するための通信デバイス１０が、事前に定義されたプロトコルおよび通信モードを介したネットワークとの通信を確立するためのネットワーク通信ポート３０を備え、さらに、カメラ１２との間でデータを送受信するためのデジタル・カメラへの接続用に、ＰＣのバック・エンド・アプリケーションを模倣するシリアル、パラレル、ＳＣＳＩ、ＵＳＢ、またはＩｒｄａポートなどのカメラ通信ポート２０を備える。【選択図】  図１
2006345574.tif 000002
【特許請求の範囲】
【請求項１】
通信ネットワークと接続する機能を有さないデジタルカメラに、前記通信ネットワークを介して遠隔宛先と情報を交換することを可能とする通信デバイスであって、
少なくとも１つのＰＣおよび取外し可能記憶デバイスと直接に通信するための前記デジタルカメラの既存の通信プロトコルを使用するために構造化され、カメラ通信ポートを介してデジタルカメラと情報を交換するためのカメラ通信制御手段と、
前記通信ネットワークを介して遠隔装置と情報を交換するためのネットワーク通信ポートに接続されるネットワーク通信制御手段と
を備え、
前記カメラ通信ポートは、前記ＰＣおよび／または取り外し可能記憶デバイスのバック・エンド・アプリケーションを模倣して、前記デジタルカメラが前記ＰＣおよび／または取外し可能記憶デバイスと通信しているかのように動作することを可能とし、
前記カメラ通信制御手段と前記ネットワーク通信制御手段とが、有効に接続されて、ローカルＰＣに前記デジタルカメラを接続せずに、前記通信ネットワークを介して前記デジタルカメラと前記遠隔宛先との間で情報を交換する
ことを特徴とする通信デバイス。
【請求項２】
前記カメラ通信ポートは、シリアルポート、パラレルポート、ＳＣＳＩポート、ＵＳＢポートおよびＩＲＤＡポートのうち少なくとも１つを備え、
前記カメラ通信制御手段は、前記カメラ通信ポートを使用して前記デジタルカメラと情報を交換するために、それぞれ対応した通信プロトコルを使用する
ことを特徴とする請求項１記載の通信デバイス。
【請求項３】
前記カメラ通信ポートは、ＰＣＭＣＩＡカード、ＣｏｍｐａｃｔＦｌａｓｈカードおよびＳｍａｒｔカードのうち少なくとも１つに構成された取外し可能な記憶デバイスに適合し、
前記カメラ通信制御手段は、前記カメラ通信ポートを使用して前記デジタルカメラと情報を交換するために、それぞれ対応した通信プロトコルを使用する
ことを特徴とする請求項１記載の通信デバイス。
【請求項４】
前記ネットワーク通信制御手段と前記ネットワーク通信ポートとは、当該通信デバイスが電話、モデム、イーサネット、ルータ、ハブ、赤外線、無線、セルラーおよび衛星通信のうち少なくとも１つを介して前記通信ネットワークと接続可能に構成される
ことを特徴とする請求項１記載の通信デバイス。
【請求項５】
前記カメラ通信制御手段および前記ネットワーク通信制御手段に接続されて、安全ではない通信ネットワークを通じた伝送中の認証されていない使用および他の安全ではない遠隔宛先における記憶に対して、前記デジタルカメラと前記遠隔宛先との間で交換される情報を安全にするための動作を実行するセキュリティエンジン
をさらに備えることを特徴とする請求項１記載の通信デバイス。
【請求項６】
前記セキュリティエンジンは、前記デジタルカメラと前記遠隔宛先との間で交換される情報に対し少なくとも暗号化、復号化およびマーキングのうち少なくとも１つを行うように構成される
ことを特徴とする請求項５記載の通信デバイス。
【請求項７】
前記デジタルカメラと前記遠隔宛先との間で交換される情報に注釈データを加えるプロセッサ
をさらに備え、
前記注釈データは、時間、日付、ユーザ情報、位置情報およびカメラ情報のうち少なくとも１つを含む
ことを特徴とする請求項１記載の通信デバイス。
【請求項８】
当該通信デバイスにプログラムされた指示、前記デジタルカメラからの指示および前記遠隔宛先からの指示のうち少なく１つによって自動的に動作を実行するように構成されている
ことを特徴とする請求項１記載の通信デバイス。
【請求項９】
前記通信デバイスおよび前記デジタルカメラのうち少なくとも１つに対してプログラミングする指示を含むように構成された、スマートカードを受け入れるスマートカードインターフェース
をさらに備えることを特徴とする請求項１記載の通信デバイス。
【請求項１０】
前記デジタルカメラと情報を交換するための前記カメラ通信制御手段は、
前記カメラ通信ポートを介して前記通信デバイスおよび前記デジタルカメラのうち少なくとも１つに対してプログラミングする指示を受信するように構成されている
ことを特徴とする請求項１記載の通信デバイス。
【発明の詳細な説明】
【技術分野】
【０００１】
本発明は、一般にデジタル・スチルおよびビデオ・カメラならびに通信システムに関し、より具体的に言えば、デジタル・カメラとネットワーク・システムとの間に通信インターフェースを提供する通信デバイスに関する。
【背景技術】
【０００２】
携帯用デジタル・カメラは、一般にＰＣ周辺デバイスとして扱われる。従来のデジタル・カメラの場合、ユーザはカメラ・メモリ／ディスクが一杯になるまで写真を撮影した後、そのデジタル画像データをＰＣにダウンロードする。このカメラはたとえばケーブルを介してＰＣに接続するか、またはＰＣＭＣＩＡカードなどの取外し可能記憶デバイスをカメラからＰＣに手操作で転送するかの、いずれかが必要である。定期的にＰＣに直接、物理的に接続する必要があるので、デジタル・カメラの携帯性が低減する。さらに、画像をＰＣにダウンロードするのはローカルな動作である。画像をインターネットに移動させるためには、ユーザが他のコマンド・セットをローカルＰＣに適用しなければならない。このようなシステムについては、Ｐａｒｕｌｓｋｉ等による特許文献１に記載されている。カメラは、小売店内にある視覚監視システムなどの、画像を表示するための統合化システムにも組み込まれる。Ｍａｅｄａによる特許文献２が、テレビジョン画面に表示するための処理回路を備えたデジタル・カメラを含む、システムを開示している。
【０００３】
従来のデジタル・カメラの他の制約は、画像がいったんＰＣにロードされると、これを識別する直接の方法がないことである。オペレータ名、口座番号、カメラの製造元などの追加情報は、手操作で追加しなければならない。画像がいったんＰＣにロードされるとこれをオペレータが変更できないこと、または未許可の人物によって画像がＰＣから遠隔位置への画像伝送の一部として表示されないことを確実にするように、画像の安全を保障する方法もない。
【０００４】
【特許文献１】米国特許第５４７５４４１号公報
【特許文献２】米国特許第５４４４４８３号公報
【発明の開示】
【発明が解決しようとする課題】
【０００５】
したがって、本発明の目的は、携帯用スチルおよびまたはビデオ・デジタル・カメラのユーザが、遠隔ネットワーク位置または遠隔コンピュータへ伝送およびダウンロードするために、画像データをカメラから通信ネットワークに直接送信できるようにするためのインターフェースとして働く装置を提供することである。
【０００６】
本発明の他の目的は、ＰＣに直接ダウンロードするようにのみ設計された従来のデジタル・カメラのユーザが、遠隔ネットワーク位置または遠隔コンピュータへ伝送およびダウンロードするために、カメラ・データをカメラから通信ネットワークに直接送信できるようにする装置を提供することである。
【０００７】
本発明の他の目的は、カメラ・データが不安定な通信ネットワークを介して伝送される間に未許可で使用され、安全が保障されていない遠隔宛先に格納されることのないように、安全を保障するための動作を実行する装置を提供することである。
【０００８】
本発明の他の目的は、モデム、イーサネット（登録商標）・アダプタ、ルータ、ハブ、または赤外線および他の無線接続を含むがこれらに限定されることのないグループから選択されたインターフェースによって、多様なデジタル・カメラから遠隔コンピュータに、選択された通信ネットワークを介して画像データをダウンロードする装置を提供することである。
【０００９】
本発明の他の目的は、カメラから画像データを受け取り、暗号化および／またはマーキングして、その暗号化／マーキングされたデータを遠隔コンピュータに伝送することができる装置を提供することである。
【００１０】
本発明の他の目的は、カメラから画像データを受け取り、時間および日付、ユーザ情報、位置情報、およびカメラ情報を含むがこれらに限定されることのない追加の注釈データと共に、そのデータを遠隔コンピュータに伝送できる装置を提供することである。
【００１１】
本発明の他の目的は、デジタル・カメラ出力を遠隔コンピュータに接続する装置を提供することである。その装置はスマート・カードに応答して装置およびカメラをプログラムし、許可されたユーザが装置を操作できるようにする。
【００１２】
本発明の目的は、プログラミングによって、または遠隔コンピュータ処理された宛先からの情報／指示に応答してカメラを制御できる、デジタル・カメラと共に使用する装置を提供することである。
【００１３】
本発明の他の目的は、後でカメラと通信するのに使用されることになる装置上の同じインターフェースを使用してＰＣがプログラムすることのできる、デジタル・カメラと共に使用する装置を提供することである。
【００１４】
本発明の他の目的は、モデム、イーサネット・アダプタ、ルータ、ハブ、あるいは赤外線または他の無線接続を含むがこれらに限定されることのないグループから選択されたインターフェースによって、選択された通信ネットワークを介して画像データを遠隔コンピュータにダウンロードできるスチルおよびまたはビデオのデジタル・カメラを提供することである。
【００１５】
本発明の他の目的は、デジタル・カメラおよび、カメラまたはデバイスのプログラミングに応じて、あるいは遠隔コンピュータ処理された宛先からの情報／指示に応答して、自動的に動作を実行する、デジタル・カメラと共に使用するためのデバイスを提供することである。
【００１６】
本発明の他の目的は、プログラミングによって、または遠隔コンピュータ処理された宛先からの情報／指示に応答してカメラを制御できる、デジタル・カメラと共に使用する装置を提供することである。
【００１７】
本発明の他の目的は、後でカメラと通信するのに使用されることになる装置上の同じインターフェースを使用してＰＣがプログラムすることのできる、デジタル・カメラと共に使用する装置を提供することである。
【００１８】
本発明の他の目的は、モデム、イーサネット・アダプタ、ルータ、ハブ、あるいは赤外線または他の無線接続を含むがこれらに限定されることのないグループから選択されたインターフェースによって、選択された通信ネットワークを介して画像データを遠隔コンピュータにダウンロードできるスチルおよびまたはビデオのデジタル・カメラを提供することである。
【００１９】
本発明の他の目的は、デジタル・カメラおよび、カメラまたはデバイスのプログラミングに応じて、あるいは遠隔コンピュータ処理された宛先からの情報／指示に応答して、自動的に動作を実行する、デジタル・カメラと共に使用するためのデバイスを提供することである。
【課題を解決するための手段】
【００２０】
簡潔に言えば、本発明の好ましい実施態様は、データを遠隔コンピュータにダウンロードするために、デジタル・カメラと通信ネットワークとを相互接続するための通信デバイスを含む。このデバイスは、事前に定義されたプロトコルおよび通信モードを介したネットワークとの通信を確立するネットワーク通信ポートを備え、さらに、カメラとの間でデータを送受信するデジタル・カメラへの接続用に、ＰＣのバック・エンド・アプリケーションを模倣するシリアル、パラレル、ＳＣＳＩ、ＵＳＢ、またはＩｒｄａポートなどのカメラ通信ポートを備える。カメラ通信ポートは、プログラミング・データおよびセットアップ・データをＰＣから通信デバイスに入力するためにも使用される。このデバイスは、格納または動作指示用のデータなどのデータ上で直接動作するように、および／またはデータをカメラに向けて送るようにプログラムすることができる。さらにデバイスは、ユーザがユーザＩＤおよびカメラＩＤ、ユーザ権限、画像マーキング、カメラ動作パラメータ、遠隔コンピュータ／宛先アドレスなどのデータを入力するためにスマート・カードを挿入することができる、スマート・カード・ソケットも備える。デバイスは、暗号化、認証、ウォータマーキング、およびフィンガプリンティング手順を実行するように、ならびに特定のネットワークを介してデータを伝送するために構造化し、特定時に、またはデータ入力に応答して自動的に動作を実行するようにプログラムすることができる。
【発明の効果】
【００２１】
本発明の一利点は、デジタル・カメラ・ユーザが画像カメラ・データを遠隔コンピュータまたはネットワーク・サイトにダウンロードすることができるため、そのような動作を実行するために、カメラまたはその取外し可能デバイスをローカル・コンピュータに接続する必要がなくなることである。
【００２２】
本発明の他の利点は、たとえば通信システムを介してデータを送信し、これをコンピュータにダウンロードする前に、データを暗号化またはマーキングすることによって、自動的にカメラ・データの安全を保障する機能をカメラ・ユーザに与えることである。
【００２３】
本発明の他の利点は、遠隔ネットワークへの接続タスクを実行するように特別に設計されていないカメラに、機能を追加することである。
【００２４】
本発明の他の利点は、カスタマイズ化動作用にプログラムされたカメラへの接続を備えた装置を提供することである。
【００２５】
本発明の他の利点は、ユーザがデジタル・カメラからネットワークを介して、ネットワーク・プリンタおよび遠隔アーカイブなどの多種多様な複数の宛先にデータを送信できるようにする装置を提供することである。
【発明を実施するための最良の形態】
【００２６】
次に図１を参照すると、デジタル・カメラ１２、ＰＣ１４、通信ネットワーク１６、ならびにＰＣ、プリンタ、電話交換機、サーバなど、どのようなタイプのネットワーク・オブジェクトであってもよい遠隔の宛先１８とともに使用されている、本発明の通信デバイス１０の好ましい実施形態が示されている。デバイス１０は、ポート２４にケーブル２２によって示されるカメラ１２、またはケーブル２６を介するＰＣ１４のいずれかに相互接続を行うためのカメラ通信ポート２０を備えている。点線２８は、カメラ１２、またはＰＣ１４のいずれかがポート２０に接続できることを示している。デバイス１０は、ライン３２を介してネットワーク１６に接続されていることが示されているネットワーク通信ポート３０、およびスマートカード３６を取り付けるためのスマートカード・ポート３４を備えている。遠隔の宛先１８とネットワーク１６の間の接続は、ライン３８によって示されている。通信デバイス１０は、ネットワーク１６を介してデータを送信するための様々な通信またはネットワーク装置のどのようなものも含む。
【００２７】
通信デバイス１０の使用には、最初に、それに必要なプログラミングを行うことが伴う。プログラミングは、ポート２０に接続されたＰＣ１４の使用を通じて達せられる、および／またはポート３４を介したスマートカード３６から、および／または宛先１８での遠隔コンピュータからネットワーク１６を介してのデータ入力を通じて達せられる。プログラミングのオプションの例が、以下の詳細な説明で与えられる。一般に、デバイス１０は、命令およびデータをカメラに送信し、カメラから受信したデータに対する動作を実行し、ネットワーク１６を介して指定の遠隔の宛先１８にデータを送信するようにプログラムすることができる。スマートカードの通常の使用は、ユーザＩＤ、カメラＩＤ、遠隔の宛先／ネットワーク・サイト１８のアドレスまたは電話番号、カメラ１２および通信デバイス１０に対する動作上の命令などの、追加のデータ入力のためである。
【００２８】
通信デバイス１０の主要な機能は、カメラ１２からデータを受信し、次にそのデータを、ネットワーク１６で示される選択された通信メディアを介して、遠隔の宛先１８に送信するのに必要な動作を実行することである。他の動作／機能は、以下の明細で説明する。
【００２９】
デバイス１０の入力２０は、ＰＣのバック・エンド・アプリケーションを模倣し、それによって、それがＰＣと通信しているかのように、動作するカメラに対してトランスペアレントになる。通信デバイス１０は、事前定義のプロトコルおよび通信モードを介して、ネットワーク１６との通信を確立する。デバイス１０は、カメラ１２から画像データならびに他の情報を受信して、データを獲得し、それを必要なプロトコルに応じて構造化し、他のどのようなプログラムされた動作も実行して、次に、このデータをデバイスＩＤまたはコマンドによって定義される指定のロケーションに入れて、伝送のためのネットワークを介し、コンピュータ、プリンタ、サーバ、電話交換機などの、宛先のデバイス１８に送信する。デバイス１０と宛先のデバイスの間での通信は、双方向的であり得る、すなわち宛先のデバイス・ホスト１８は、情報を受信するとともに、通信デバイス１０に情報をダウンロードすることができる。本発明の趣旨には、すべてどのようなタイプのメディアも含まれている。通信デバイス１０の特定の実施形態は、電話モデム、イーサネット・アダプタ、ルータ、ハブなどを含む１つまたは複数のデバイスの機能を含む。デバイス１０はまた、衛星通信などのワイヤレス通信リンクを介して伝送を行うように構成することができる。信号には、赤外線、またはＵＨＦ、ＶＨＦなどの、どのような無線周波数も、あるいはマイクロ波も含まれる。
【００３０】
デバイス１０と宛先１８の間でのワイヤレス通信では、ライン３２が、通信デバイス１０上のアンテナ／エミッタ４０およびネットワーク１６に接続されたトランシーバ４２に示される、デバイス１０とネットワーク１６の間のワイヤレス接続によって置き換えられる。
【００３１】
図１はまた、カメラ・ポート２４に接続されたトランシーバ４４、およびカメラ１２とデバイス１０の間でデータの送受信を行うための、通信デバイス１０上のアンテナ／エミッタ４６に示される、カメラ１２と通信デバイス１０の間でのワイヤレス通信を示している。この発明の趣旨にはすべてのタイプの放射される信号が含まれ、どの特定のタイプかは、距離や環境などの要因による。
【００３２】
デバイス１０は、プログラム可能なので、その使用にはかなりの柔軟性がある。例えば、デバイス１０は、例えば、宛先のデバイス／ホスト・コンピュータ１８から命令を受信して、カメラに一日の特定の時間にまたは毎時間、撮影を行う、かつ／あるいは特定の時間にカメラから画像をダウンロードするまたは情報をアップロードするような機能を、自動的に実行するようにプログラムすることができる。デバイス１０は、「オフライン」でカメラを操作するように、宛先のデバイス１８によってプログラムすることができる。命令をデバイス１０にアップロードした後、通信を終了することができる。デバイス１０は、その命令を保持し、それらを適切にカメラに送信することができる。
【００３３】
別の例では、デバイス１０は、カメラ画像ストーレッジがいっぱいになったとき、または部分的にいっぱいになったとき、自動的にネットワーク１６に接続して、その画像データのダウンロードを行い、その後にネットワーク１６との接続を切るようにプログラムすることができる。ダウンロードが完了して、宛先１８から確認を受信すると、デバイス１０は、カメラから画像を削除することによって、継続することができる。
【００３４】
また、通信デバイス１０、またはカメラは、プログラム可能である場合、画像に伴う情報のロードを行うことができ、この情報は、例えば、画像ヘッダに含めることができる。貴重な情報の例は、アカウント番号およびカメラＩＤを含み得る。デバイス１０は、宛先にダウンロードされる画像データをもったこの情報を、自動的に含むようにプログラムすることができる。こうした識別は、画像のソースに関する混乱を回避する。
【００３５】
通信デバイスは、永続的にプログラムされている選択されたフィーチャを備えた設計を施されている。本発明の代替の実施形態は、特定の宛先だけにデータのダウンロードを行うことを許可する永続的プログラミングを含む。こうした固定プログラミングは、別の目的のために、デバイスまたはカメラが盗まれることを回避する。一般に、特定の目的のための永続的プログラミングをデバイスに提供するのが、本発明に特有なフィーチャである。
【００３６】
別の代替の実施形態は、カメラＩＤを宛先デバイス１８から、および／またはこれらのいずれかに接続されているときにはスマートカード３６から、自動的に要求し、受信する固定プログラミングを含む。次にカメラＩＤが、画像データとともに含まれる。さらに別の実施形態は、カウンタを読み取り、増分して、受信した各画像に一意的な番号を割り当てる固定プログラムを含む。この方式で、各画像は、番号およびその画像を獲得したカメラのＩＤをそれに関連してもつことになる。これらの機能のためのプログラミングは、当技術分野の専門家には理解されるものであり、ここには示さない。必要な時計、カウンタ、ＲＯＭ、ならびに他の必要な回路部品は、図３にブロック形式で示されている。通信デバイスがデジタル・カメラと統合されている実施形態では、カメラＩＤは、ＲＯＭにプログラムされ、したがってそれ以外にカメラＩＤを要求したり、受信したりする必要はない。画像番号を含める動作は、通信デバイスが別個である場合と同一の方式で達せられる。統合されたカメラと通信デバイスは、図９を参照する以下の文章でより充分な説明を行う。
【００３７】
通信デバイス１０の別の実施形態は、遂行される必要のある動作に関してユーザに知らせる、ビジュアル・インディケータ４８およびサウンド・インディケータ５０を含む。これらは、オフラインでも、オンラインでも機能することができる。例えば、アラーム／サウンド・インディケータ５０は、音を出すようにプログラムすることができ、かつ／またはビジュアル・インディケータは、デバイス１０が特定の時間にカメラをネットワークに接続するようにプログラムされているのに、接続がない場合、点灯するであろう。また、インディケータは、画像ストーレッジが一定のレベルに達したときに、通知を行うことができる。ビジュアル・ディスプレイ５２は、宛先１８に送信されるべきもので、残っている画像の数、伝送に必要な残り時間、カメラ１２への接続の通知、および宛先１８への接続の通知などの、役に立つ情報を示すためにオプショナルである。その内部に、デバイス１０は、表示のための画像カウントを、上述のとおり保持するためのカウンタを含み、また、オプションとして、ディスプレイ５２上に画像受信の日時を表示するのに使用する時計を含み得る。
【００３８】
デバイス１０に機能的に類似したデバイスの代替の構築５４が、図２に示されており、そこでは、デバイス５４からカメラ５６への接続、またはＰＣ１４への接続が、ＰＣＭＣＩＡカード、ＳｍａｒｔＭｅｄｉａ（登録商標）  ＣｏｍｐａｃｔＦｌａｓｈ  Ｃｌｉｃｋ！  Ｃａｒｄなどのリムーバブル・ストーレッジ・インターフェースを介して行われる。例えば、ＰＣＭＣＩＡカード３６を、カメラ・カード・スロット５８に取り付けることができ、カメラ・データをカード３６にダウンロードすることができる。次にカード３６をデバイス５４のスロット６０に取り付け、処理して、接続６２を介して宛先２０に伝送するために、カメラ・データをデバイス５４にロードすることができる。また、代替の実施形態が図２に示されており、そこではカメラ５６のＰＣＭＣＩＡカード・スロット５８に取り付けるＰＣＭＣＩＡカード拡張６４が提供されている。通信デバイスの設計での他の構成やタイプの接続は、当技術分野の専門家には明らかであり、それらは、本発明の趣旨に含まれることになる。
【００３９】
図３を参照すると、通信デバイス１０の内部構造が、ブロック形式で示されている。プロセッサ６６が、画像処理ブロック６８によって全体的に示される特定のプログラミングに従って動作を実行し、通信デバイス１０の起動を調整する。特にプロセッサ・ブロック６６で示されているのが、画像処理の日時を示すのに画像データに含めるための日時（時計７０）を保持する動作である。また、プロセッサは、ＬＥＤスクリーン５２上に表示するために、送受信された画像の数のアカウントを維持して（ブロック７２）、画像データに含まれることになるユーザ・データを含めたさらなるデータを、様々な目的のために処理する（ブロック７４）。さらに、プロセッサは、そのようにプログラムされているときには、セキュリティ動作を実行する（ブロック７６）。通常、ＲＯＭ７８が、永続的にプログラムされたデータを記憶するために提供され、ＲＡＭ８０が一時的な記憶のために使用される。特定のカメラ通信装置は、カメラ接続コントローラ８２、およびカメラとのワイヤレス接続のために、オプションとしての赤外線トランシーバ８４を含む。カメラ・コントローラ８２は、ポート２０、および／またはトランシーバ８４、および図１に示される追加の接続ハードウェアを介して、カメラに接続を行う。ネットワーク通信装置は同様に、プロセッサおよびメモリ・ブロックに加えて、ライン３２を介してネットワークと通信を行い、かつ／またはバス９０を介してモデム８８に、そして次にモデム出力バス９２を介してネットワークに接続され、かつ／またはネットワークへのワイヤレス接続のために、バス９４を介してトランシーバ９６に、次にバス９８を介してアンテナ／エミッタ４０に接続されるネットワーク接続コントローラ８６を含む。同様に、カメラ接続コントローラはオプションとして、カメラ１２との通信のために、バス１０４を介してアンテナ／エミッタ４６と接続されたトランシーバ１０２に、バス１０を介して接続される。ユーザ・インディケータは、ユーザ・インターフェース・コントローラ１０８を介して操作される。インディケータは、バッテリ状態インディケータ１１０、アラーム灯４８、サウンド・アラーム５０、電源スイッチ１１２、およびＬＥＤディスプレイ５２を含む。また、電源機構１１４が、バッテリ１１６、ＡＣバッテリ充電供給インプット１１８、電話回線の電源接続１２０、および図示されていない代替の電源バスからのライン１２２を含む、オプションとともに示されている。
【００４０】
図４は、モデム１２８、イーサネット・アダプタ１３０、ルータ１３２、ハブ１３４、赤外線リンク１３６、および／または何らかのワイヤレス接続１３８を含む、多くのタイプのネットワーク接続を、図３に示されたものに類似したデバイス回路１２６を含む、単一の通信デバイス１２４が収容しているのを示している。デバイス１２４は、可能なタイプのネットワーク接続の１つまたは複数のいずれに対しても、個別にあるいは同時に、互換性のあるデータ形式を提供するように構成することができる。複数のメディアに対する同時の出力の場合、デバイス１２４は、各タイプの接続に対する個別の出力を含む。選択された様々な接続のタイプはそれぞれ、ネットワーク１６の対応する部分を介して、単一のコンピュータまたは遠隔のネットワーク・ノード１８に伝送を行うことができる、あるいはこれらは、それぞれが異なる遠隔の宛先に出力を行うことができ、これは図５に示されるようなもので、そこでは、カメラ１２からの出力が、イーサネット・アダプタ１３０経由でネットワーク１３９を介して、通信デバイス１４０によって第１遠隔コンピュータ１４２に送信され、またワイヤレス接続／トランシーバ１３８経由でトランシーバ４２へ、ネットワーク１４１を介して第２遠隔コンピュータ１４６へ送信され、また別法では、ライン１４８で示されるとおりコンピュータ１４２に送信される。
【００４１】
この開示で説明される通信デバイスは、様々なポート・タイプのどれによっても、カメラに接続することができる。これは、シリアル・ポート１５４、１５６、ＳＣＳＩポート１５８、１６０、ＩｒＤａポート１６２、１６４、パラレル・ポート１６６、１６８、および通信デバイス１５２からカメラ１５０へのＵＳＢポート１７０、１７２を介して通信デバイス１５２に接続されたカメラ１５０を図示する、図６に示されている。デバイス１５２は、どのような組み合わせの出力も、また、通信デバイスに関してこの開示のべつの部分で説明されている他のフィーチャも備えることができる。示されているとおり、デバイス１５２は、出力ポート１７４およびスマートカード３６で使用する、オプションのスマートカード・ポート１７６をもっている。様々な相互接続ラインまたはメディアが、単にライン１７８として示され、それぞれがポートのタイプに対して適切なように構成されている。赤外線通信の場合、対応するライン１７８は、物理的通信ケーブルではなく、遮るもののない見通しである。カメラおよび通信デバイスは、図６に示される１つまたは複数のポートをもち得る。本発明の趣旨は、カメラと通信デバイスの間で、図６で示されるもの以外に、また通信デバイスと遠隔コンピュータの間で、図４に示されるもの以外に、他の通信ラインまたはメディアを含む。こうしたバリエーションは、当技術分野の専門家には明らかであろう。
【００４２】
上述のとおり、本発明の通信デバイスは、コンピュータ化されたシステムに、自動方式でカメラ画像をダウンロードすることを提供する。通信デバイスは、カメラ、遠隔コンピュータ、ならびに介在するネットワークおよび対応する情報を搬送する方法についての情報を含むように、プログラムされている。
【００４３】
これらに加えて、通信デバイスのさらに一般的なフィーチャ、多数のプログラム上のオプションおよび動作上のオプションが本発明の趣旨に含まれ、その例が図７のリストに与えられている。通信デバイスからネットワークへの接続のタイプは、図４で詳細に示されている。これらのオプションもまた、「ネットワークへのデバイス接続」の見出しの下に、図７でリストされている。こうした接続は、プロトコルとして知られている、データの特定の順序付け／整列を必要とする。典型的なプロトコルが、図７で「デバイス対ネットワーク・プロトコル」の下にリストされている。また、ユーザにとっては、画像情報とともに、カメラの製造番号、あるいは別の何らかの一意的な識別を含めるのが都合のいいことが、しばしばある。いくつかのタイプのカメラ情報が、「カメラに関するデバイス情報」の下にリストされており、これら、および他のカメラ情報が、例えば、図１のポート３４に取り付けられるスマートカードを使用して、またはポート２０を介したＰＣを使用して、または図１に示される１８での遠隔コンピュータから、また、あるいは当技術分野の専門家には明らかな他の手段を使用して、デバイスにプログラムされる。
【００４４】
同様に、特定の通信デバイスの識別に関わる情報、ならびに他の情報が、デバイスにプログラムすることができる。例には、固有の通信デバイスＩＤ、組み込みの時計によって保持される日時、記憶され、かつ／またはダウンロードされた画像の数、ならびに通信デバイスの連続画像カウンタに留められた数値が含まれる。これらのフィーチャもまた、「デバイス生成の情報」の下に図７でリストされている。
【００４５】
通信デバイスにはまた、通常は遠隔のＰＣであるが、ビデオ・モニタまたはプリンタなどの、他の装置である場合もあり得る宛先１８に関する情報が、プログラムされる。このタイプの情報は、「宛先に関するデバイス情報」の下に図７でリストされている。
【００４６】
ユーザ・パスワードを要求することは、許可のない人がデータを改ざんする可能性を回避する。電話番号およびＩＰアドレス・データもまた、通信デバイスにロードすることができ、「デバイスおよび／またはカメラについての動作上の情報」の下に図７でリストされている。画像に対して実行されることになる動作の詳細な例が、図８を参照して説明される。
【００４７】
通信デバイスのプログラミングはまた、通信デバイスによってカメラに送信される命令を含み、その例が、「カメラに対するデバイスからの命令」の下に図７でリストされている。
【００４８】
通信デバイスの目的は、カメラから情報を受信して、次にそれを格納、または変更し、かつ／またはプログラムやデータに応じて追加を行い、ネットワークに要求されたデータを送信することである。カメラから受信したデータの例が、「カメラからのデバイス情報」の下に図７にリストされている。画像データに対して実行される動作の例が、図８のリストに含まれている。特定の実施形態は、画像獲得の日時、ユーザの名前、固有のカメラＩＤまたは画像ＩＤ、ならびに伝送の日時を含むものなどの、識別子を追加するようにプログラムされたデバイスを含む。このデータは、画像上、または画像ヘッダ、あるいは画像エリアの外に配置することができる。通信デバイスはまた、マーク付けを行うようにプログラムする、すなわち、不正な使用を阻止する目的のイメージである、不可視のマークである透かしまたは指紋を入れる、または画像データのセット全体を暗号化して、許可をもたない人が画像を見るのを防ぐようにプログラムすることができる。例えば、通信デバイスは、選択された画像データのポイントを、後に疑わしい画像の対応するロケーションからのデータと比較するために、格納し、暗号化するようにプログラムすることができる。
【００４９】
図８で、デバイスはまた、ファイルを圧縮または解凍する、ファイルの構文解析を行い、それらを異なる形式に変換するなどの、他の動作を実行することができることが示されている。
【００５０】
図７および図８にリストされ、通信デバイスのプログラミングに関して上述されている特定の項目はすべて、例として提供されている。本発明の基本的な目的は、デジタル・カメラが、通常はコンピュータである遠隔の宛先に、データのダウンロードを行うため、または遠隔の宛先からデータを受信するために、１つまたは複数のタイプのネットワークに接続され得るようにすることである。デジタル装置の技術分野の専門家は、本明細書で開示され主張されている動作を実行するデバイスをどのように設計するかを理解するので、通信デバイスの回路およびプログラミングの詳細については、この開示では述べる必要がない。
【００５１】
上記に説明される本発明の実施形態は、好ましい実施形態である。この通信デバイスは、ネットワークに接続する機能をもたない既存のデジタル・カメラが、画像データを伝送し、命令を受信するために、様々な通信ネットワークのどれにでも接続され得るようにするということで、これらの形態において特に役立つものとなる。相互接続は、既存のプロトコルを使用して既存のカメラ・ポートを介して行われるので、既存のデジタル・カメラを、本発明の通信デバイスとともに機能するように変更する必要はない。
【００５２】
通信デバイス１８０が、デジタル・カメラ部分１８４をもっているデジタル・カメラ１８２の内部に統合されている、本発明の代替の実施形態が、図９に示されている。新型のデジタル・カメラ１８２は、通信ネットワークとの間でデータを送受信することができる。この実施形態でのカメラ１８２は、従来のデジタル・カメラの場合と同様に、プログラミング・データを受信し、ＰＣに画像データをダウンロードするのに使用する、ＰＣへのライン１８８に接続するためのシリアル・ポート１８６をもっている。また、カメラ１８２は、通信ネットワークへの１つまたは複数のライン１９２に接続するための、１つまたは複数の通信ポート１９０をもっている。例えば、図４および図５に関して述べられているネットワーク通信オプションは、図９のデバイス１８０にも適応する。デバイス部分１８０の動作、およびディスプレイやインディケータなどの様々なフィーチャは、１０または１２４などの外部通信デバイスに関連して上記で述べたものと同様である。ポート１９０は、スマートカード３６を受け入れるためのものである。簡明さおよび冗長な説明を避けるため、他のオプションとしてのフィーチャは、図９では繰り返されていない。
【００５３】
図１０は、通信デバイス１９２が、カメラ１９４からのデータを直接にビデオ／テレビ受信機１９６に接続するように構成されている、この発明の実施形態を示している。この接続は、ライブの画像のプレビューとともに、それが妥当なときには、静止画像またはビデオのポスト・ビューまたはプレイバックを可能にしている。
【００５４】
図１１および図１２は、別々の宛先に伝送を行うように構成された通信デバイスを示している。図１１は、カメラ１９８が、第１セットおよび第２セットのデータをそれぞれ、ライン２００および２０２に乗せて通信デバイス２０４に伝送し、第１セットのデータを第１の宛先２０６に、第２セットのデータを第２の宛先２０８に送信することが望ましい場合を図示している。例えば、ジャーナリストが、高解像度のデータを宛先２０６にある自分の個人用ＰＣに送り、その画像の購入前に宛先２０８でプレビューを行えるよう、潜在的な顧客に低解像度のデータを送信したいと望むことがあり得る。
【００５５】
他の適用形態は、「第１データ」としての画像が第１ロケーションに送信され、「第２データ」としての他の情報が、自動的に第２ロケーション／宛先２０８に送信される、「エスクロー」セキュリティ伝送を含む。保護された画像の場合、認証された画像を２０６などの第１ロケーションに送信し、画像の署名および／または認証データを第２ロケーション２０８に送信することができる。同様に暗号化または透かし入れされたデータを第１ロケーションに送信し、元のデータを第２ロケーションに送信することができる。
【００５６】
カメラが第１および第２データの両方を提供できない場合、図１２に示されるとおり第２データは、通信デバイスによって準備することが可能である。この場合、カメラ２１０は、元の画像データのみを出力する。通信デバイス２１２は、暗号化された画像データおよび／または認証データを作成し、あるいは他のデータを含めることを行い、次に第１の選択されたデータを第１の宛先２０６に、そして第２セットのデータをロケーション／宛先２０８に出力するようにプログラムされている。
【００５７】
上記の説明に述べられているとおり、本発明のデバイスは、自動方式で動作を実行する。次に、通信デバイスおよび／または統合されたカメラ・デバイスの動作の新しい方式について、さらに詳細に説明する。
【００５８】
上記の通信デバイスは、例えば、プログラム可能な通信デバイス１０がカメラ１２を宛先１８と接続する、図１に示されるシステム、または図９に記載される、カメラと統合された通信デバイスを備えた同様のシステムなどの、システムで使用されると、自動でインテリジェントな動作が可能な構造を提供する。コンピュータ化された宛先１８は、単一のＰＣまたはネットワーク・サーバを含む様々な構成のものであり得る。
【００５９】
自動動作での本発明の方法および装置は、複数の通信デバイスが、別個のデバイスとして、あるいはカメラと統合されて使用され、画像データをダウンロードしようとする試みが行われるとき、大いに効用を発揮する。画像データは、大きなメモリを必要とし、多くの通信デバイスからダウンロードを行うことには時間がかかる。こうした画像データの負荷に遭遇したネットワークは、容易に過負荷となり、ネットワーク帯域幅の大幅な拡大、または自動方式でダウンロードを整理する方法を必要とする。こうした自動化は、本発明の実施形態の特に便利なフィーチャであり、これは、３セットの、カメラ２１４、２１６、２１８および通信デバイス２２０、２２２、２２４が、単一の宛先２２６にネットワーク２２８を介して接続されている図１３に示されている。
【００６０】
カメラから宛先への画像データの転送を自動化する様々な方法は、この発明の説明を読んだ後には、自動化の技術分野の専門家によって理解されるものである。好ましい実施形態は、デバイス２２０、２２２、２２４を、話し中信号を受信したときに、宛先に接続を行うために自動的に「リダイヤル」するようにプログラミングすることを含んでいる。宛先は、単に第１番目のコールを受け入れ、第１番目のコールが終了するまで後続のコールを無視する。代替の方法は、宛先が、コールを行っている通信デバイスの番号を受信した順に記憶し、次に、宛先が次のダウンロードを受け入れる準備ができたときに、次の順番のデバイスに通知を行うことを含む。この手法は、各デバイスにその優先順位を保証するという点で、リダイヤルの手法よりも優れている。
【００６１】
次に図１４を参照すると、通信デバイスが自動動作を実行するようにプログラムされた通信デバイスの例が示されている。ブロック２３０（デバイスをセットアップする）は、ＰＣ１４、スマートカード３６、またはネットワーク１６を介してコンピュータ／宛先１８を使用して達せられるプログラミングを表している。図１４は、通信デバイスによって行われるプログラムされた判断の単純化された例である。こうした動作のためのプログラミングの詳細は、当技術分野の専門家にはよく理解されているものであり、したがって詳細に説明を行うことはしない。
【００６２】
図１４の例は、例えば、カメラが接続されているか判断するため、カメラ通信ポート２０に照会を行うようにプログラムされたデバイス１０などの、通信デバイスを示している。通信デバイスは例えば、定期間隔で、あるいは定刻にカメラ接続をチェックする（ブロック２３２）ようにプログラムすることができる。カメラが接続されている場合には、通信デバイスはカメラからのデータを受信し、評価するのであり、これはカメラがライン２２を介してコマンドを受信し、それに応答するようにプログラムされている場合には、完全に自動で行われる動作である。そうでない場合、ユーザは手動でカメラ１２を起動して、通信デバイスにデータをダウンロードすることができる。通信デバイスへのダウンロードが自動または手動のいずれの場合も、ブロック２３４がこの機能を表している。ブロック２３６は、通信デバイスがカメラに照会を行って、画像記憶容量の何パーセントがいっぱいになっているか判断する、互換性あるカメラ１２のオプションが示されている。それが事前決定されているある量、例えば７５％を超過した場合、通信デバイスは、カメラ１２に画像データをダウンロードするように命令する（ブロック２３４）ことによって対応する。そうでない場合、デバイスは、定期的に、かつ／または定時にカメラの接続および使用可能な画像メモリのチェックを継続することができる。
【００６３】
画像データがロードされると、通信デバイスは、プログラミングに応じて、暗号化を施す、認証データを作成する、後で１つまたは複数の宛先に伝送するために優先順位を下げるなどの、上記に説明した様々な動作のどれでも実行することができる。このことは、単にブロック２３８として示されている。
【００６４】
通信デバイスは、優先順位を下げられたデータをある時点で送信するようにプログラムすることができる。このプログラミングは、ブロック２４０で代表されて示されており、プログラムされている時点で、デバイスが出力ポート３０（図１）をチェックして、ネットワークに接続が行われているか判断する（ブロック２４２）。行われている場合は、通信デバイスは、さらにチェックを行って、宛先が接続されていて準備ができているか判断する。これは、どのような数の宛先でも本発明の範囲内にあるのではあるが、単一の宛先に関してブロック２４４によって、２つの別々の宛先に関してブロック２４６および２４８によって示されている。
【００６５】
通信デバイスが、宛先の準備ができていると判断すると、ブロック２５０、２５２、２５４に示されるとおり、データが伝送される。ブロック２５０はまた、特定のロケーション、すなわち宛先内のデータベースに接続するために、伝送されるデータに固有ＩＤを含めるような通信デバイスのプログラミングを示すオプションを示している。図１４の目的は主に、本発明の通信デバイス内での自動化を図示することである。自動化はまた、宛先１８内、ならびにカメラ１２がプログラム可能である場合には、カメラ１２内でも可能である。
【００６６】
次に、宛先１８内での自動化を説明するために、図１５を用いる。自動化が通信デバイス、カメラ、および宛先で行われる組み合わせ、あるいは必要なプログラミングの目的を達するようなこの３つのどのような組み合わせも、本発明に含まれることもまた理解されたい。
【００６７】
図１５のブロック２５８は、宛先１８に動作を実行させるプログラミングを表し、その例が図１５の様々なブロックを参照して説明される。ブロック２６０は、宛先が、通信デバイスがネットワークに接続されているか判断することを示している。宛先は、様々な間隔で、または時刻などに、接続をチェックするようにプログラムすることができる。また、宛先は、データを伝送するよう要求を示している通信デバイスからの信号に応答するように、プログラムすることができる。これらのオプションは両方とも、通信デバイスへの積極的な照会、または通信デバイスからの応答のいずれも、ブロック２６０によって示されるステップに含まれている。
【００６８】
宛先と通信デバイスの間に接続が確立されると、ブロック２６２に示されるとおり、宛先は通信デバイスに命令を送信することができる。ブロック２６０と同様に、宛先によるこの動作は、自ら開始したものである場合も、データを送信するよう通信デバイスから受信した命令に対する応答である場合もある。次に、データは宛先によって受信されて（ブロック２６４）、処理される（ブロック２６６）。通信デバイスは、カメラとは別個である場合も、それと統合されている場合もある。
【００６９】
図１６は、設定の時刻、またはある間隔で撮影を行うようカメラに指示させる通信デバイスへの命令を含め、宛先によって通信デバイスに送信されるデータの例をリストしている。アカウント識別、表題、または他の情報を、画像ヘッダまたは透かしに含めるために送信することができる。動作上のデータが、いつどこで撮影を行うかユーザに知らせるために、送信され得る。例えば、どこで撮影を行うか示す地図を送信でき、これをユーザがカメラのビジュアル・ディスプレイ上に表示することができ、ユーザに訂正の通知を送信して、慢性的な露光不足、焦点の問題など、ダウンロードされた画像データに関するどのような問題でも知らせることができる。宛先はまた、通信デバイスに命令を送信して、カメラ・メモリをチェックする、データをダウンロードする、データを暗号化するなど、すべて宛先による制御で行うことができる。
【００７０】
通信デバイスからデータを受信すると（ブロック２６４）、宛先は、プログラムされた特定の目的に応じて、自動的にデータを処理することができる（ブロック２６６）。多数の可能性が、図１６で「宛先によるデータ処理」の下に含まれている。データが暗号化されていない形式で受信された場合、それは、このデータを暗号化して格納することができ、あるいはそれは、暗号化されたデータを復号して、自動的に画像を印刷する、または保存することができる。宛先１８はまた、ウェブ上などの他の遠隔ロケーションに自動的に選択された画像を配布する、または、販売前の閲覧のために、低解像度の画像を電子メールで送ることができる。宛先はまた、元の画像の認証データを格納し、疑わしい画像から対応する認証データを作成し、この２つのセットの認証データを比較して、疑わしい画像の正当性を判断することができる。
【００７１】
この発明の自動フィーチャを要約すると、宛先、例えばサーバは、通信デバイスにコールを行って、例えば、ローカルおよび遠隔ネットワークの負荷、サーバ処理の負荷、サーバの記憶容量、（印刷の）履行、システム負荷、およびその他の要因に基づいたものなど、サーバにデータを送信する特定の時間をそれに通知することができる。上述のとおり、送信するのに充分な画像があるか判断する、すなわち通信デバイスまたはカメラ・デバイスの画像ストーレッジ・メモリ内の使用可能なスペースを判断するために、通信デバイスとサーバとの間で照会／ハンドシェイクを行うことが可能である。別法では、通信デバイスが、データの送信を開始させるために、宛先に照会を行うことができる。
【００７２】
本発明の別の自動フィーチャは、画像データとともに既定の情報を自動的に含めることであり、こうした情報には、例えば、固有ＩＤ、日付、時刻などが含まれる。画像に含められるこうした情報に密接に関係しているのが、宛先への自動ダイヤル呼び出しのため、デバイスまたはカメラによって受信される電話番号またはネットワークＩＰである。通信デバイスはまた、事前プログラムされた時刻／間隔で宛先に照会を行うことによって、自動的に画像および関連した情報を受信することができる。別の自動フィーチャは、あるユーザが他のユーザよりも高い優先順位をもっているときに、優先順位に基づいて自動的にダウンロードを行うことを含む。
【００７３】
図１７は、図９の統合されたカメラ−デバイスに適応する。カメラ−デバイスは、最初にブロック２６８に示されるとおりプログラムされる。撮影が行われ（ブロック２７０）、プログラムされた動作が実行される（ブロック２７２）。次に、カメラ−デバイスは、メモリをチェックして、データがダウンロードされるべきか判断する（ブロック２７４）。メモリ・スペースが低下している場合、カメラ−デバイスはネットワーク接続が行われているかチェックし（ブロック２７６）、別法ではまた、ユーザに使用できる記憶容量が低いことを知らせる（ブロック２７８）。ネットワークへの接続が行われると、データがダウンロードされる（ブロック２８０）。一般に、通信デバイス１０に関連して説明されたすべてのフィーチャは、カメラと通信デバイスの間の外部接続に関わるコメントを除いて、図９に示される統合された通信デバイス１８０を備えたカメラ１８２にも当てはまる。
【００７４】
上記で本発明は、特定の実施形態に関して説明されてきたが、その改変および変更が当技術分野の専門家には無論、明白なものとなることが予期されている。したがって、頭記の請求の範囲は、そうしたすべての改変および変更も、この発明の真の趣旨および範囲内にあるものとして、解釈されることを意図している。
【図面の簡単な説明】
【００７５】
【図１】カメラおよび通信ネットワークに相互接続された本発明の通信装置を示す図である。
【図２】取外し可能なカード・インターフェースを介してカメラに接続するデバイスを示す図である。
【図３】通信デバイスの構成図である。
【図４】１つまたは複数タイプのネットワーク接続を介してネットワークに接続された通信デバイスを示す図である。
【図５】複数のネットワークに接続された通信デバイスを示す図である。
【図６】通信デバイスとカメラとの様々な方法での相互接続を実演する図である。
【図７】様々なプログラミングおよび動作オプションをまとめた図である。
【図８】通信デバイスが画像上で実行できる様々な動作をまとめた図である。
【図９】通信デバイスとカメラとを一体化する代替実施形態を示す図である。
【図１０】通信デバイスがデータをカメラからビデオ／ＴＶ受像機に直接接続するように構成された、本発明の一実施形態を示す図である。
【図１１】異なるデータを別々の宛先に送るように構成された通信デバイスを示す図である。
【図１２】２組のデータを区別して、１つの組を第１の位置に他の組を第２の位置に送信するように構成された、通信デバイスを示す図である。
【図１３】それぞれが通信デバイスを介して単一の宛先と通信する、複数のカメラを示す図である。
【図１４】通信デバイスに関する自動化を示す流れ図である。
【図１５】宛先デバイスに関する自動化を示す流れ図である。
【図１６】宛先から通信デバイスに送ることのできるデータのタイプと、宛先毎に実行できる処理とをまとめた図である。
【図１７】内蔵型通信デバイスを備えたカメラ内での自動化を示す流れ図である。
【図１】
2006345574.tif 000003
【図２】
2006345574.tif 000004
【図３】
2006345574.tif 000005
【図４】
2006345574.tif 000006
【図５】
2006345574.tif 000007
【図６】
2006345574.tif 000008
【図７】
2006345574.tif 000009
【図８】
2006345574.tif 000010
【図９】
2006345574.tif 000011
【図１０】
2006345574.tif 000012
【図１１】
2006345574.tif 000013
【図１２】
2006345574.tif 000014
【図１３】
2006345574.tif 000015
【図１４】
2006345574.tif 000016
【図１５】
2006345574.tif 000017
【図１６】
2006345574.tif 000018
【図１７】
2006345574.tif 000019